(57)【要約】【課題】スクリューシャフトのネジ溝に対してピックアップユニット側の係合部材を常に適正な係合状態に確保することができるディスク再生装置を得ることにある。【解決手段】ピックアップユニット８をターンテーブル５に対する接近・離間方向へ移動自在に支持するピックアップガイド軸６と、このピックアップガイド軸６との平行位置に配置されて回転駆動されるピックアップ送り用のスクリューシャフト１０とを備え、前記スクリューシャフト１０のネジ溝に係合させた係合部材１２を、前記ピックアップガイド軸と前記スクリューシャフトとの間において前記ピックアップユニット８に回動可能に設けたものである。【選択図】図１
2007234109.tif 000002
【特許請求の範囲】
【請求項１】
ディスク再生用のピックアップユニットをディスク載置用のターンテーブルに対して接近・離間方向へ移動自在に支持するピックアップガイド軸と、このピックアップガイド軸との平行位置に配置されて回転駆動されるピックアップ送り用のスクリューシャフトと、前記ピックアップユニットに設けられて前記スクリューシャフトに係合し、当該スクリューシャフトの回転駆動によりネジ送りされる係合部材とを有するピックアップ移動機構を備えたディスク再生装置において、
前記係合部材は、前記ピックアップガイド軸と前記スクリューシャフトとの間において前記ピックアップユニットに回動可能に設けたことを特徴とするディスク再生装置。
【請求項２】
係合部材は、スクリューシャフトを側方から抱持するように該スクリューシャフトのネジ溝に係合する係合突起を有することを特徴とする請求項１記載のディスク再生装置。
【請求項３】
ピックアップユニットは、係合部材をスクリューシャフト側へ付勢する押圧部材を有することを特徴とする請求項１記載のディスク再生装置。
【請求項４】
ディスク再生用のピックアップユニットをディスク載置用のターンテーブルに対して接近・離間方向へ移動自在に支持するピックアップガイド軸と、このピックアップガイド軸との平行位置に配置されて回転駆動されるピックアップ送り用のスクリューシャフトと、前記ピックアップユニットに設けられて前記スクリューシャフトに係合し、当該スクリューシャフトの回転駆動によりネジ送りされる係合部材とを有するピックアップ移動機構を備えたディスク再生装置において、
前記係合部材は、前記ピックアップガイド軸と前記スクリューシャフトとの間において前記ピックアップユニットに回動可能に、かつ、前記スクリューシャフト側に移動可能に設けたことを特徴とするディスク再生装置。
【請求項５】
ピックアップユニットは、係合部材をスクリューシャフト側へ付勢する押圧部材を有することを特徴とする請求項４記載のディスク再生装置。
【発明の詳細な説明】
【技術分野】
【０００１】
この発明は、ＤＶＤ等を再生するネジ送り式のピックアップ移動機構を備えたディスク再生装置に関するものである。
【背景技術】
【０００２】
従来の例えば車載用のディスク再生装置においては、ディスク再生用のピックアップユニットをディスク載置用のターンテーブルに対する接近・離間方向へ移動自在に支持するピックアップガイド軸と、このピックアップガイド軸との平行位置に配置されて回転駆動されるピックアップ送り用のスクリューシャフト（リードスクリュー）と、前記ピックアップユニットに一体的に設けられて前記スクリューシャフトのネジ溝に係合し、当該スクリューシャフトの回転によりネジ送りされる係合部材とからなるピックアップ移動機構を備えている（例えば、特許文献１参照）。
【０００３】
ここで、前記係合部材として板バネを適用し、この板バネに一体形成された係合突起を当該板バネの付勢力によって前記スクリューシャフトのネジ溝に係合させる構成としたものもある。このように板バネの付勢力だけで係合突起を前記ネジ溝に係合させたのでは、部品寸法のばらつきやピックアップの傾き調整等により前記スクリューシャフトとピックアップガイド軸との相対高さ（角度）が変化することによって前記板バネの付勢力が変化し、これにより、前記ネジ溝に対する前記係合突起の係合状態（係合度合い）にバラツキが生じてピックアップガイド軸にかかる側圧の負荷変動が大きくなるため、前記スクリューシャフトを低トルクモータ（例えば、ステッピングモータ）で駆動する構成とした場合、前記負荷変動によってピックアップの送り動作が不安定になるという課題があった。
【０００４】
また、前述のような板バネの付勢力の変動を抑制するために、その付勢力を大きく設定すると、前記スクリューシャフトの回転トルクが大きくなるため、当該スクリューシャフトの駆動源として通常はパワーモータを適用し、このパワーモータによりギア機構を介してスクリューシャフトを回転駆動するようにしているが、この場合、前記ギア機構によってメカニズムが大型化し、小型化を図ったメカニズムでは前記ギア機構の据え付けスペースの確保が困難になると共に、ピックアップの位置出し制御に問題が生じるという課題があった。
【０００５】
そこで、特許文献１では、連結部材をガイド軸に回動自在かつ軸線方向に進退自在に装着し、連結部材に送りネジを回動方向の両側から挟持する一対の挟持片を設け、この挟持片を送りネジに径方向から弾性的に圧接係合させることにより、スクリューシャフトに過剰な付勢力をかけずに前記ネジ溝に対する係合突起の係合を確保するようにしている。
【０００６】
【特許文献１】特開２００５−２９３８２５号公報（［００１２］〜［００１４］、図２）
【発明の開示】
【発明が解決しようとする課題】
【０００７】
特許文献１のディスク再生装置は以上のように構成されているので、部品寸法のばらつきやピックアップの傾き調整等により前記スクリューシャフトとピックアップガイド軸との相対高さ（角度）が変化することによって、連結部材はガイド軸を中心に回動し、係合突起と送りネジのネジ溝との接離位置変化を許容するが、連結部材がピックアップガイド軸と一体となって変位するため、係合突起と送りネジのネジ溝との接離位置が変化し、これにより、前記ネジ溝に対する係合突起の適正な係合状態を確保することが困難となってピックアップの送り動作が不安定になるという課題があった。
【０００８】
この発明は上記のような課題を解決するためになされたもので、部品寸法のばらつきやピックアップの傾き調整等によりスクリューシャフトとピックアップガイド軸との相対位置が変化した場合でも、スクリューシャフトのネジ溝に対してピックアップユニット側の係合部材を常に適正な係合状態に確保することができるディスク再生装置を得ることを目的とする。
【課題を解決するための手段】
【０００９】
この発明に係るディスク再生装置は、ディスク再生用のピックアップユニットをディスク載置用のターンテーブルに対して接近・離間方向へ移動自在に支持するピックアップガイド軸と、このピックアップガイド軸との平行位置に配置されて回転駆動されるピックアップ送り用のスクリューシャフトと、前記ピックアップユニットに設けられて前記スクリューシャフトに係合し、当該スクリューシャフトの回転駆動によりネジ送りされる係合部材とを有するピックアップ移動機構を備えたディスク再生装置において、前記係合部材は、前記ピックアップガイド軸と前記スクリューシャフトとの間において前記ピックアップユニットに回動可能に設けたものである。
【発明の効果】
【００１０】
この発明によれば、係合部材を、ピックアップガイド軸とスクリューシャフトとの間においてピックアップユニットに回動可能に設けて構成したので、部品寸法のばらつきやピックアップの傾き調整等によりスクリューシャフトとピックアップガイド軸との相対位置が変化した場合でも、スクリューシャフトのネジ溝に対してピックアップユニット側の係合部材を常に適正な係合状態に確保することができる。このため、前述のようなスクリューシャフトとピックアップガイド軸との相対位置の変化によるスクリューシャフトの負荷変動を小さく抑制することができ、ピックアップの正確な送り動作を低トルクモータによるスクリューシャフトの駆動によって安定かつ確実に実現することができるという効果がある。
【発明を実施するための最良の形態】
【００１１】
実施の形態１．
図１はこの発明の実施の形態１によるディスク再生装置を天板除去状態で示す斜視図、図２は図１中のディスク再生ユニットを示す斜視図、図３はピックアップ移動機構の要部を示す斜視図である。
図１に示す車載用のディスク再生装置は、前面にディスク挿排口１ａを有する装置筐体１と、この装置筐体１内におけるディスク挿排口１ａ側に配置されたディスク搬送機構２と、前記装置筐体１内のディスク再生位置に配置された再生ユニット３と、この再生ユニット３に組み付けられてスピンドルモータ４で回転駆動されるディスク載置用のターンテーブル５とを備えている。
【００１２】
前記再生ユニット３には、平行する一対のピックアップガイド軸６（片方のピックアップガイド軸は図示を省略する）を介して前記ターンテーブル５に対する接近・離間方向へ移動自在に支持されたピックアップユニット８と、前記一方のピックアップガイド軸６との平行位置に配置されて低トルクモータ９で回転駆動されるスクリューシャフト（ピックアップ送り軸）１０とが組み付けられている。また、前記ピックアップガイド軸６の軸方向一端部には、当該ピックアップガイド軸６を介して前記ピックアップユニット８の傾きを高さ方向に調整するためのピックアップ調整機構７が配置されている。さらに、図示を省略した他方のピックアップガイド軸にあっても、当該ピックアップガイド軸を介して前記ピックアップユニット８の傾きを高さ方向に調整するためのピックアップ調整機構を備えている。
【００１３】
前記ピックアップユニット８のベース部には、弾性部材１１が設けられ、この弾性部材１１の一端側両側は、前記ピックアップガイド軸６と前記スクリューシャフト１０との間において、コ字状に折り曲げられている。係合部材（ラック部材）１２は前記スクリューシャフト１０に係合して該スクリューシャフト１０の回転時に軸方向へネジ送りされる。この係合部材１２は図３に示すように、前記コ字状の折り曲げ内において、基端部１２ａがコ字状の折り曲げ片１１ａに軸１３により回動自在に取り付けられている。このような係合部材１２の先端部は、前記スクリューシャフト１０を側方から抱持するように半円弧状をなし、その半円弧状内面には前記スクリューシャフト１０のネジ溝１０ａに係合する円弧状突起１２ｂが形成されている。
前記弾性部材１１は、一部が切り下げられ、この切り下げ片１１ｂが係合部材１２の後端に当接し、常時切り下げ片１１ｂの弾性復元力で前記係合部材１２が前記スクリューシャフト１０側に押圧されている。
【００１４】
次に動作について説明する。図４（Ａ）〜図４（Ｃ）は動作説明図である。
ディスク再生装置の組立後において、ピックアップユニット８が高さ方向に傾いている場合、ピックアップガイド軸６の備えているピックアップ調整機構７によって前記ピックアップユニット８の傾きが調整させる。その調整後において、ピックアップガイド軸６とスクリューシャフト１０との相対位置が適正に確保され、かつスクリューシャフト１０のネジ溝に対して係合部材１２の係合突起１２ｂが適正に係合している状態を図４（Ａ）に示す。
【００１５】
前記ピックアップユニット８の高さ方向への傾き調整後において、スクリューシャフト１０側のピックアップガイド軸６が前記再生ユニット面３ａから離れる水平方向に位置ずれしていると、前記スクリューシャフト１０のネジ溝と当該ネジ溝に係合している前記係合突起１２ｂとの間にガタが生じて当該係合突起１２ｂの適正な係合状態を確保できなくなるので、この場合、図４（Ｂ）に示すように、係合部材１２は軸１３を中心に反時計方向に回動して、前記ネジ溝に対して係合突起１２ｂをガタが生じない適正な係合状態に調整することができると共に、前記スクリューシャフト１０に対するピックアップガイド軸６の水平方向への位置ずれを矯正することができる。
【００１６】
また、前記ピックアップガイド軸６が前記再生ユニット面３ａの近づく水平方向に位置ずれすると、前記ネジ溝に対する係合突起１２ｂの係合力が過剰となるため、この場合、図４（Ｃ）に示すように、係合部材１２は軸１３を中心に時計方向に回動して、前記係合突起１２ｂの過剰係合を解除して当該係合突起１２ｂを前記ネジ溝１０ａに対して適性な係合状態に調整することができると共に、前記スクリューシャフト１０に対する水平方向への位置ずれを矯正することができる。
【００１７】
以上説明した実施の形態１によれば、ピックアップユニット８に一体的に設けられスクリューシャフト１０側に延びて当該スクリューシャフト１０のネジ溝に係合させる係合部材１３を、ピックアップガイド軸とスクリューシャフトとの間においてピックアップユニットに回動可能に設けて構成したので、ディスク再生装置の組立後において、部品寸法のばらつきやピックアップ調整機構７によるピックアップの傾き調整等によって、スクリューシャフト１０に対するピックアップガイド軸６の相対位置が水平方向に変化した場合であっても、係合部材１２は軸１３を中心に回動し、前記ネジ溝に対する係合突起１２ｂの係合度合いを適正に調整することができる。このため、前記ネジ溝に対する係合突起１２ｂの過剰係合や係合不足を防止することができ、スクリューシャフト１０とピックアップガイド軸６との相対位置の変化による前記スクリューシャフト１０の負荷変動を小さく抑制することができると共に、低トルクモータ９によるスクリューシャフト１０の回転駆動によってピックアップユニット８の正確な送り動作を実現できるという効果がある。
【００１８】
また、係合部材１２は常時切り下げ片１１ｂの弾性復元力で前記スクリューシャフト１０側に押圧されているので、軸１３と該軸を通す穴に寸法誤差があってもガタつくことがなく、安定して保持されるともに、係合部材１２で直接スクリューシャフト１０のネジ溝を押圧することがないので、負荷の不要な増加を確実に防止することができるという効果がある。しかも、係合部材１２は、前記スクリューシャフト１０を側方から抱持するように形成されているので、何らかの原因によって、前記係合部材１２の抱持片の一片に前記スクリューシャフト１０から離れる力が作用しても、抱持片の他片が係合部材１２に接近することになり、前記係合部材１２の係合突起１２ｂはスクリューシャフト１０のネジ溝１０ａとの係合を常に安定に維持することができるという効果がある。
【００１９】
実施の形態２．
図５はこの発明の実施の形態２によるディスク再生装置の要部を示す斜視図であり、図１〜図４と同一部分には同一符号を付して重複説明は省略する。
前記実施の形態１では、スクリューシャフト１０のネジ溝１０ａに対する係合部材１２の係合度合い調整のために、係合部材１２をピックアップガイド軸６とスクリューシャフト１０との間においてピックアップユニット８に回動可能に設けた構成であるが、この実施の形態２では、前記係合度合い調整のために、コ字状の折り曲げ片１１ａに設けた軸１３の挿通穴１１ｃを水平方向の長穴とし、係合部材１４の基端部１４ａを軸１３により、回転可能かつスクリューシャフト１０に対する接近・離間方向へ移動可能に前記ピックアップユニット８に取り付けたものである。この場合の係合部材１４はスクリューシャフト１０のネジ溝１０ａに係合する係合突起１４ｂが先端面に一体に形成されている。
【００２０】
次に動作について説明する。図６（Ａ）〜図６（Ｃ）は動作説明図である。
ディスク再生装置の組立後において、ピックアップユニット８が高さ方向に傾いている場合、ピックアップガイド軸６の備えているピックアップ調整機構７によって前記ピックアップユニット８の傾きが調整させる。その調整後において、ピックアップガイド軸６とスクリューシャフト１０との相対位置が適正に確保され、かつスクリューシャフト１０のネジ溝に対して係合部材１４の係合突起１４ｂが適正に係合している状態を図６（Ａ）に示す。
【００２１】
前記ピックアップユニット８の高さ方向への傾き調整後において、スクリューシャフト１０側のピックアップガイド軸６が前記再生ユニット面３ａから離れる水平方向に位置ずれしていると、前記スクリューシャフト１０のネジ溝１０ａと当該ネジ溝に係合している前記係合突起１４ｂとの間にガタが生じて当該係合突起１４ｂの適正な係合状態を確保できなくなるので、この場合、図４（Ｂ）に示すように、係合部材１４は軸１３を中心に反時計方向に回動するとともに、軸１３の挿通穴が水平方向の長穴１１ｃであるため、切り下げ片１１ｂの弾性復元力で前記スクリューシャフト１０側に押圧される。このため、前記係合部材１４の係合突起１４ｂが前記スクリューシャフト１０のネジ溝１０ａにガタを生じない適正な係合状態に調整されるとともに、前記スクリューシャフト１０に対するピックアップガイド軸６の水平方向への位置ずれを矯正することができる。
【００２２】
また、前記ピックアップガイド軸６が前記再生ユニット面３ａに近づく水平方向に位置ずれすると、前記ネジ溝１０ａに対する係合突起１４ｂの係合力が過剰となるため、この場合、図６（Ｃ）に示すように、係合部材１４は軸１３を中心に時計方向に回動するとともに、軸１３の挿通穴が水平方向の長穴１１ｃであるため、切り下げ片１１ｂの弾性復元力で前記スクリューシャフト１０側に押圧される。このため、前記係合部材１４の係合突起１４ｂが前記スクリューシャフト１０のネジ溝１０ａにガタを生じない適正な係合状態に調整されるとともに、前記スクリューシャフト１０に対するピックアップガイド軸６の水平方向への位置ずれを矯正することができる。
【００２３】
以上説明した実施の形態２によれば、ピックアップユニット８に設けられ、スクリューシャフト１０側に延びて当該スクリューシャフト１０のネジ溝に係合する係合部材１３を、ピックアップガイド軸６とスクリューシャフト１０との間においてピックアップユニット８に回動可能かつスクリューシャフトに対する接近・離間方向へ移動可能に取り付けて構成したので、ディスク再生装置の組立後において、部品寸法のばらつきやピックアップ調整機構７によるピックアップユニット８の傾き調整等によって、スクリューシャフト１０に対するピックアップガイド軸６の相対位置が水平方向に変化した場合であっても、係合部材１４は軸１３を中心に回動かつ水平移動し、前記スクリューシャフト１０のネジ溝１０ａに対する係合突起１４ｂの係合度合いを適正に調整することができる。このため、前記スクリューシャフト１０のネジ溝１０ａに対する係合突起１４ｂの過剰係合や係合不足を防止することができ、スクリューシャフト１０とピックアップガイド軸６との相対位置の変化による前記スクリューシャフト１０の負荷変動を小さく抑制することができるとともに、低トルクモータ９によるスクリューシャフト１０の回転駆動によってピックアップユニット８の正確な送り動作を実現できるという効果がある。
【図面の簡単な説明】
【００２４】
【図１】この発明の実施の形態１によるディスク再生装置を天板除去状態で示す斜視図である。
【図２】図１中のディスク再生ユニットを示す斜視図である。
【図３】ピックアップ移動機構の要部を示す斜視図である。
【図４】ピックアップ移動機構の動作説明図である。
【図５】この発明の実施の形態２によるピックアップ移動機構の要部を示す斜視図である。
【図６】ピックアップ移動機構の動作説明図である。
【符号の説明】
【００２５】
１  装置筐体、１ａ  ディスク挿排口、２  ディスク搬送機構、３  再生ユニット、４  スピンドルモータ、５  ターンテーブル、６  ピックアップガイド軸、７  ピックアップ調整機構、８  ピックアップユニット、９  低トルクモータ、１０  スクリューシャフト、１１  弾性部材、１２，１４  係合部材、１３  軸。
【図１】
2007234109.tif 000003
【図２】
2007234109.tif 000004
【図３】
2007234109.tif 000005
【図４】
2007234109.tif 000006
【図５】
2007234109.tif 000007
【図６】
2007234109.tif 000008